(57)【特許請求の範囲】
【請求項１】
第１側面板と、上面板と、第２側面板と、下面板と、蓋板とがこの順で連接されており、
前記蓋板は、前記下面板との間の蓋板用折り曲げ線を介して前記上面板側に折り曲げられるとともに、前記蓋板には、前記蓋板用折り曲げ線に対向する縁部に差込み用折り曲げ線を介して差込み片が形成され、前記差込み片の先端部に係止用折り曲げ線を介して前記差込み片の外面側に折り返される係止片が形成されており、
前記上面板には、前記差込み片が差し込まれる被差込み部が前記上面板を切り込んで形成されるとともに、前記被差込み部に対向して係止解除部が前記上面板を切り込んで形成され、前記上面板の内面側であって前記被差込み部と前記係止解除部との間に、折り返された前記係止片が係止される被係止部が設けられており、
前記第１側面板は前記上面板に対して傾斜して設けられることで、前記第１側面板と前記蓋板の前記蓋板用折り曲げ線との間に空間部が形成されていることを特徴とする包装体。
【請求項２】
内包物を保持した保持板の一方の側縁部から第１折り曲げ線を介して第１側面板が連接され、前記第１側面板の他方の側縁部から第２折り曲げ線を介して上面板が連接され、前記上面板の他方の側縁部から第３折り曲げ線を介して第２側面板が連接され、前記第２側面板の他方の側縁部から第４折り曲げ線を介して下面板が連接され、前記下面板の他方の側縁部から第５折り曲げ線を介して蓋板が連接され、かつ、前記上面板の前記側縁部と直交する一方の側縁部から第６折り曲げ線を介して被係止板が連接され、
前記被係止板が前記第６折り曲げ線を介して前記上面板の内面側に添設され、前記第１側面板が前記第１折り曲げ線を介して前記保持板の一方の側部に配置され、前記上面板及び前記被係止板が前記第２折り曲げ線を介して前記保持板の上部に対向配置され、前記第２側面板が前記第３折り曲げ線を介して前記保持板の他方の側部に配置され、前記下面板が前記第４折り曲げ線を介して前記保持板の下部に対向配置され、前記蓋板が前記第５折り曲げ線を介して前記第１側面板に対向配置され、かつ、蓋板用折り曲げ線を介して前記上面板に対向配置された構成の包装体であって、
前記蓋板には、前記蓋板用折り曲げ線に対向する縁部に第７折り曲げ線を介して差込み片が形成され、前記差込み片の先端部に第８折り曲げ線を介して前記差込み片の外面側に折り返される係止片が形成され、
前記上面板には、前記差込み片が差し込まれる被差込み部が前記上面板を切り込んで形成されるとともに、前記被差込み部に対向して係止解除部が前記上面板を切り込んで形成され、
前記被係止板には、前記被差込み部の切込み形状に沿って切除された被差込み開口部が形成されるとともに、前記係止解除部の切込み形状に沿って切除された係止解除開口部が形成され、前記被差込み開口部と前記係止解除開口部との間が、折り返された前記係止片が係止される被係止部とされており、
前記第１側面板は前記上面板に対して傾斜して設けられることで、前記第１側面板と前記蓋板の前記蓋板用折り曲げ線との間に空間部が形成されていることを特徴とする包装体。
【請求項３】
請求項１または請求項２に記載の包装体であって、
前記係止解除部は、差し込まれた前記係止片の上部に位置していることを特徴とする包装体。
【請求項４】
内包物を保持した保持板の一方の側縁部から第１折り曲げ線を介して第１側面板が連接され、前記第１側面板の他方の側縁部から第２折り曲げ線を介して上面板が連接され、前記上面板の他方の側縁部から第３折り曲げ線を介して第２側面板が連接され、前記第２側面板の他方の側縁部から第４折り曲げ線を介して下面板が連接され、前記下面板の他方の側縁部から第５折り曲げ線を介して蓋板が連接され、かつ、前記上面板の前記側縁部と直交する一方の側縁部から第６折り曲げ線を介して被係止板が連接された展開シートであって、
前記蓋板には、前記第５折り曲げ線に対向する縁部に第７折り曲げ線を介して差込み片が形成され、前記差込み片の先端部に第８折り曲げ線を介して前記差込み片の外面側に折り返される係止片が形成され、
前記上面板には、前記差込み片が差し込まれる被差込み部が前記上面板を切り込んで形成されるとともに、前記被差込み部に対向して係止解除部が前記上面板を切り込んで形成され、
前記被係止板には、前記被差込み部の切込み形状に沿って切除された被差込み開口部が形成されるとともに、前記係止解除部の切込み形状に沿って切除された係止解除開口部が形成され、前記被差込み開口部と前記係止解除開口部との間が、折り返された前記係止片が係止される被係止部とされており、
前記上面板の連接方向の幅は前記下面板の連接方向の幅より幅狭に形成され、前記第１側面板の連接方向の幅は前記第２側面板の連接方向の幅より幅広に形成されていることを特徴とする展開シート。
【発明の詳細な説明】
【技術分野】
【０００１】
本発明は、医薬品、菓子、化粧品等の内包物を巻くように折り畳んで収納する包装体及びその展開シートに係り、より詳細には、蓋板を閉じた状態で確実にロックする機能を備えるとともに、ロック解除後の蓋板の開閉操作を容易に行うことのできる包装体及びその展開シートに関する。
【背景技術】
【０００２】
従来、医薬品、菓子、化粧品等を包装する包装体において、ロック機能を備えた包装箱が種々提案されている（例えば、特許文献１，２等参照）。
【０００３】
特許文献１には、左右側面と、前後側面と、前記後側面の上端縁から延出する上封止面と、前記前側面の裏側に差し入れられる上差込片とを備え、前記前側面は、その上端縁と切込み線に囲まれる開封操作部と、上に凸となる形状の切込み線に囲まれ且つ開封後再封時に差し入れられる上差込片を当該前側面とで挟む舌部とを備え、前記上差込片は、前記上封止面に向かって凸となる形状の切込み線に囲まれて位置し且つ前記舌部が離脱して生じる開口部の上縁にかかる係止片を備えた包装箱が開示されている。
【０００４】
また、特許文献２には、内箱部と外箱部を有し、それら内箱部と外箱部とをつなぐ部分にパッケージ開封用の切取短冊部を有し、内箱部を内側に巻き込むようにして外箱部を伊達巻状に折り曲げ、必要個所を接着して箱体に組み立てる包装箱において、箱体外面に露見させた開封用の切取短冊部を切り取って除去すると、一体化されていた内箱部と外箱部とのつなぎが分断され、内箱部が外箱部から引き出し可能となり、また、中身を使用して残りを保管する場合、特に乳幼児が中身を安全上取り出せないようにロック状態にして保管できる包装箱が開示されている。
【先行技術文献】
【特許文献】
【０００５】
【特許文献１】特開２０１５−７７９７９号公報
【特許文献２】特開２００８−２８５１７６号公報
【発明の概要】
【発明が解決しようとする課題】
【０００６】
上記特許文献１，２によれば、幼児等が不用意に蓋を開封しないようにロックすることができる。
【０００７】
しかし、上記特許文献１，２に記載のものは、ロック解除後の蓋の開閉操作については特に工夫されていない。従って、ロック解除後は、従来の包装箱の蓋を開く操作と同様の操作を行うことになる。
【０００８】
例えば特許文献１に記載の包装用箱では、ロックを解除後、蓋板である上封止面を開くために、前側面の裏側に差し入れられた上差込片に爪等を引っ掛けて引き出すようにすることで、上封止面を開くことができる。また、特許文献２に記載の包装箱では、ロックを解除後、外箱部の前後主面部に設けられた切欠き凹部に露出している内箱部の前後主面部を前後両側から指で摘まみ、外箱部から引き出すことで、完全に引き出された蓋部の開閉が可能となっている。
【０００９】
このように、上記特許文献１，２では、ロックの解除操作と、蓋の開閉操作が別操作となっており、特に蓋板を開く操作については何ら工夫されていなことから、蓋板を開くときの操作性が悪いといった問題があった。
【００１０】
本発明はかかる問題点を解決すべく創案されたもので、その目的は、ロック解除操作と蓋板を開く操作とを連動させるとともに、蓋板の開く部分に工夫を加えることで、ロック解除から蓋板の開く操作までの一連の操作性を向上させた包装体及びその展開シートを提供することにある。
【課題を解決するための手段】
【００１１】
上記課題を解決するため、本発明の包装体は、第１側面板と、上面板と、第２側面板と、下面板と、蓋板とがこの順で連接されており、前記蓋板は、前記下面板との間の蓋板用折り曲げ線を介して前記上面板側に折り曲げられるとともに、前記蓋板には、前記蓋板用折り曲げ線に対向する縁部に差込み用折り曲げ線を介して差込み片が形成され、前記差込み片の先端部に係止用折り曲げ線を介して前記差込み片の外面側に折り返される係止片が形成されており、前記上面板には、前記差込み片が差し込まれる被差込み部が前記上面板を切り込んで形成されるとともに、前記被差込み部に対向して係止解除部が前記上面板を切り込んで形成され、前記上面板の内面側であって前記被差込み部と前記係止解除部との間に、折り返された前記係止片が係止される被係止部が設けられており、前記第１側面板は前記上面板に対して傾斜して設けられることで、前記第１側面板と前記蓋板の前記蓋板用折り曲げ線との間に空間部が形成されていることを特徴としている。
【００１２】
また、本発明の包装体は、内包物を保持した保持板の一方の側縁部から第１折り曲げ線を介して第１側面板が連接され、前記第１側面板の他方の側縁部から第２折り曲げ線を介して上面板が連接され、前記上面板の他方の側縁部から第３折り曲げ線を介して第２側面板が連接され、前記第２側面板の他方の側縁部から第４折り曲げ線を介して下面板が連接され、前記下面板の他方の側縁部から第５折り曲げ線を介して蓋板が連接され、かつ、前記上面板の前記側縁部と直交する一方の側縁部から第６折り曲げ線を介して被係止板が連接され、前記被係止板が前記第６折り曲げ線を介して前記上面板の内面側に添設され、前記第１側面板が前記第１折り曲げ線を介して前記保持板の一方の側部に配置され、前記上面板及び前記被係止板が前記第２折り曲げ線を介して前記保持板の上部に対向配置され、前記第２側面板が前記第３折り曲げ線を介して前記保持板の他方の側部に配置され、前記下面板が前記第４折り曲げ線を介して前記保持板の下部に対向配置され、前記蓋板が前記第５折り曲げ線を介して前記第１側面板に対向配置され、かつ、蓋板用折り曲げ線を介して前記上面板に対向配置された構成の包装体であって、前記蓋板には、前記蓋板用折り曲げ線に対向する縁部に第７折り曲げ線を介して差込み片が形成され、前記差込み片の先端部に第８折り曲げ線を介して前記差込み片の外面側に折り返される係止片が形成され、前記上面板には、前記差込み片が差し込まれる被差込み部が前記上面板を切り込んで形成されるとともに、前記被差込み部に対向して係止解除部が前記上面板を切り込んで形成され、前記被係止板には、前記被差込み部の切込み形状に沿って切除された被差込み開口部が形成されるとともに、前記係止解除部の切込み形状に沿って切除された係止解除開口部が形成され、前記被差込み開口部と前記係止解除開口部との間が、折り返された前記係止片が係止される被係止部とされており、前記第１側面板は前記上面板に対して傾斜して設けられることで、前記第１側面板と前記蓋板の前記蓋板用折り曲げ線との間に空間部が形成されていることを特徴としている。
【００１３】
この構成によれば、蓋板の差込み片を上面板の被差込み部に差し込むと、差込み片の上面側に折り返された係止片が、上面板の内面側に設けられた被係止部に係止して、蓋板の開放が規制、すなわち蓋板をロックした状態となる。この状態で上面板に設けられた係止解除部を押し込むと、係止片が下方に押し込まれて被係止部との係止が解除され、この状態で蓋板の蓋板用折り曲げ線の部分を開く方向に押し下げると、蓋板は、空間部があることにより側面板に邪魔されることなく、この空間部を押し潰すようにしてスムーズに押し下げられる。そして、この押し下げと同時に係止片及び差込み片が被差込み部から完全に引き抜かれて、ロック解除とともに蓋板が開放される。すなわち、ロック解除と蓋板の開放とが連動し、かつ、一連の操作でスムーズに蓋板が開放されることになる。
【００１４】
また、本発明の包装体によれば、前記係止解除部は、差し込まれた前記係止片の上部に位置している。これにより、係止解除部を押し込むだけで、係止片が押し込まれ、上面板の内面側に設けられた被係止部との係止状態が確実に解除される。
【００１５】
また、本発明の展開シートは、内包物を保持した保持板の一方の側縁部から第１折り曲げ線を介して第１側面板が連接され、前記第１側面板の他方の側縁部から第２折り曲げ線を介して上面板が連接され、前記上面板の他方の側縁部から第３折り曲げ線を介して第２側面板が連接され、前記第２側面板の他方の側縁部から第４折り曲げ線を介して下面板が連接され、前記下面板の他方の側縁部から第５折り曲げ線を介して蓋板が連接され、かつ、前記上面板の前記側縁部と直交する一方の側縁部から第６折り曲げ線を介して被係止板が連接された展開シートであって、前記蓋板には、前記第５折り曲げ線に対向する縁部に第７折り曲げ線を介して差込み片が形成され、前記差込み片の先端部に第８折り曲げ線を介して前記差込み片の外面側に折り返される係止片が形成され、前記上面板には、前記差込み片が差し込まれる被差込み部が前記上面板を切り込んで形成されるとともに、前記被差込み部に対向して係止解除部が前記上面板を切り込んで形成され、前記被係止板には、前記被差込み部の切込み形状に沿って切除された被差込み開口部が形成されるとともに、前記係止解除部の切込み形状に沿って切除された係止解除開口部が形成され、前記被差込み開口部と前記係止解除開口部との間が、折り返された前記係止片が係止される被係止部とされており、前記上面板の連接方向の幅は前記下面板の連接方向の幅より幅狭に形成され、前記第１側面板の連接方向の幅は前記第２側面板の連接方向の幅より幅広に形成されていることを特徴としている。
【００１６】
この構成によれば、内包物を保持した保持板を中心にして、第１側面板、上面板、第２側面板、下面板、蓋板を順次折り曲げていくことで、内包物を簀巻き状に包み込み、最後に、係止片を外側に折り返した状態の蓋板の差込み片を上面板の被差込み部に差し込むことで、係止片が上面板の内面側に設けられた被係止部に係止して、蓋板がロック状態となる。そして、この状態から、上面板に設けられた係止解除部を押し込むと、係止片が下方に押し込まれて被係止部との係止が解除され、この状態で蓋板の蓋板用折り曲げ線の部分を開く方向に押し下げると、蓋板は、空間部があることにより側面板に邪魔されることなく、この空間部を押し潰すようにしてスムーズに押し下げられる。そして、この押し下げと同時に係止片及び差込み片が被差込み部から完全に引き抜かれて、ロック解除とともに蓋板が開放される。すなわち、ロック解除と蓋板の開放とが連動し、かつ、一連の操作でスムーズに蓋板が開放されることになる。その後は、簀巻き状に折り畳まれた包装体を展開していくことで、内放物を取り出すことができる。
【発明の効果】
【００１７】
本発明によれば、蓋板のロック状態から、上面板に設けられた係止解除部を押し込むと、係止片が下方に押し込まれて被係止部との係止が解除され、この状態で蓋板の蓋板用折り曲げ線の部分を開く方向に押し下げると、蓋板は、空間部があることにより側面板に邪魔されることなく、この空間部を押し潰すようにしてスムーズに押し下げられる。そして、この押し下げと同時に係止片及び差込み片が被差込み部から完全に引き抜かれて、ロック解除とともに蓋板が開放されることになる。すなわち、本発明によれば、ロック解除と蓋板の開放とが連動し、かつ、一連の操作でスムーズに蓋板を開放することができる。
【図面の簡単な説明】
【００１８】
【図１】本発明の実施形態に係る包装体を構成する展開シートの平面図である。
【図２】ＰＴＰシートを斜め上方からの視点で示す斜視図である。
【図３】ＰＴＰシートを展開シートの保持板で保持する手順を示す平面図である。
【図４】ＰＴＰシートを展開シートの保持板で保持する手順を示す平面図である。
【図５】上面板の内面側に被係止板と弾性付与板とを折り畳んでいく手順を示す平面図である。
【図６】上面板の内面側に被係止板と弾性付与板とを折り畳んでいく手順を示す平面図である。
【図７】包装体を途中まで折り畳んだ状態を斜め上方からの視点で示す斜視図である。
【図８】蓋板を上面板上に装着する操作手順を示す概略断面図である。
【図９】蓋板を上面板上に装着する操作手順を示す概略断面図である。
【図１０】蓋板を上面板上に装着する操作手順を示す概略断面図である。
【図１１】完全に折り畳んだ状態の包装体を斜め上方からの視点で示す斜視図である。
【図１２】ロックを解除して蓋板を上面板から開くときの操作手順を示す概略断面図である。
【図１３】ロックを解除して蓋板を上面板から開くときの操作手順を示す概略断面図である。
【図１４】ロックを解除して蓋板を上面板から開くときの操作手順を示す概略断面図である。
【発明を実施するための形態】
【００１９】
以下、本発明の実施の形態について、図面を参照して説明する。
【００２０】
＜展開シートの説明＞
図１は、本発明の実施形態に係る包装体を構成する展開シートＡの平面図である。
【００２１】
この展開シートＡは、内包物を保持する保持板１を備えている。内包物は、本実施形態では医薬品等の錠剤を個別に包装するＰＴＰ（Press Through Package）シート８０（図２参照）である。ＰＴＰシート８０は、平面視が概ね長方形状に形成されている。従って、保持板１も長方形状に形成されている。
【００２２】
図２は、ＰＴＰシート８０を斜め上方からの視点で示す斜視図である。
【００２３】
図２に示すように、ＰＴＰシート８０は、ポリ塩化ビニルやポリプロピレン等のプラスチックシートからなる収容シート８１と、容易に破断することができる金属箔、例えばアルミ箔からなる被覆シート８２と、医薬品等の錠剤８３とから構成され、ヒートシールされた収容シート８１及び被覆シート８２によって略長方形状のＰＴＰ台紙８４が形成されている。そして、収容シート８１に熱成形によって所定深さの複数個（この例では、２列５行の１０個）の収容凹部８１ａが形成され、それぞれの収容凹部８１ａに錠剤８３が収容された構成となっている。
【００２４】
図１に戻って、保持板１は、上記構成のＰＴＰシート８０を表裏両側から保持する第１保持板１ａ及び第２保持板１ｂと、ＰＴＰシート８０の裏面側である被覆シート８２に添設される第３保持板１ｃとを備えている。
【００２５】
第１保持板１ａと第２保持板１ｂとは、第１保持板折り曲げ線１１を介して長手方向に沿う側縁部同士が連接され、第２保持板１ｂの他方の側縁部と第３保持板１ｃの一方の側縁部とが第２保持板折り曲げ線１２を介して連接されている。
【００２６】
第１保持板１ａと第２保持板１ｂとには、ＰＴＰシート８０を挟み込んで保持するための開口部１ａ１，１ｂ１が形成されている。この開口部１ａ１，１ｂ１は、収容シート８１に形成された複数個の収容凹部８１ａを取り囲むように開設されており、この開口部１ａ１，１ｂ１の周囲の縁部で収容凹部８１ａの周囲のＰＴＰ台紙８４（収容シート８１及び被覆シート８２）を挟み込むようになっている。
【００２７】
また、第３保持板１ｃには、それぞれの収容凹部８１ａに対向して、被覆シート８２を破断するための開口穴１ｃ１が形成されている。
【００２８】
このような構成の保持板１において、第３保持板１ｃの他方の側縁部から第１折り曲げ線２１を介して第１側面板２が連接され、第１側面板２の他方の側縁部から第２折り曲げ線２２を介して上面板３が連接され、上面板３の他方の側縁部から第３折り曲げ線２３を介して第２側面板６が連接され、第２側面板６の他方の側縁部から第４折り曲げ線２４を介して下面板７が連接され、下面板７の他方の側縁部から第５折り曲げ線２５及び蓋板用折り曲げ線９１を介して蓋板９が連接されている。
【００２９】
また、上面板３の長辺側の側縁部と直交する短辺側の一方の側縁部から第６折り曲げ線２６を介して被係止板４が連接され、上面板３の短辺側の他方の側縁部から第９折り曲げ線２９を介して弾性付与板５が連接されている。さらに、下面板７の長辺側の側縁部と直交する短辺側の他方の側縁部から第１０折り曲げ線３０を介して補強板８が連接されている。
【００３０】
また、蓋板９には、第５折り曲げ線２５に対向する縁部に第７折り曲げ線（差込み用折り曲げ線）２７を介して差込み片９ａが形成され、差込み片９ａの先端部に第８折り曲げ線（係止用折り曲げ線）２８を介して差込み片９ａの外面側に折り返される係止片９ｂが形成されている。また、蓋板９には、第５折り曲げ線２５と平行に蓋板用折り曲げ線９１が設けられている。後述するが、蓋板９は、包装体Ｂを折り畳んだとき、この蓋板用折り曲げ線９１で断面Ｌ字状に折り曲げられるようになっている。
【００３１】
上面板３には、差込み片９ａが差し込まれる被差込み部３１が上面板３を切り込んで（切り込み線として）形成されるとともに、この被差込み部３１に対向して係止解除部３２が上面板３を切り込んで形成されている。すなわち、被差込み部３１はスリット状に形成されている。また、係止解除部３２は、略Ｕ字状に切り込まれた係止解除片となっている。
【００３２】
被係止板４には、上面板３の被差込み部３１の切込み形状に沿って切除された被差込み開口部４１が形成されるとともに、上面板３の係止解除部３２の切込み形状に沿って切除された係止解除開口部４２が形成され、これら被差込み開口部４１と係止解除開口部４２との間が、折り返された係止片９ｂが係止される被係止部４３とされている。
【００３３】
弾性付与板５には、上面板３の被差込み部３１及び係止解除部３２を内包するようにして略Ｕ字状の切り込み部５１が形成されており、この切り込み部５１によって舌状に形成された部分が後述する差込み片９ａ及び係止片９ｂを上方に付勢する弾性付与片５２となっている。
【００３４】
さらに、本実施形態では、上面板３の連接方向の幅Ｗ１は、下面板７の連接方向の幅Ｗ２より幅狭（Ｗ１＜Ｗ２）に形成され、第１側面板２の連接方向の幅Ｗ１１は、第２側面板６の連接方向の幅Ｗ１２及び蓋板９の第５折り曲げ線２５と蓋板用折り曲げ線９１との間の幅Ｗ１２より幅広（Ｗ１１＞Ｗ１２）に形成されている。
【００３５】
＜開閉可能な包装体Ｂの作製手順の説明＞
次に、上記構成の展開シートＡを折り畳んで、開閉可能な製品としての包装体Ｂを作製する手順について、図３乃至図６を参照して説明する。図３及び図４は、ＰＴＰシート８０を展開シートＡの保持板１で保持する手順を示す平面図、図５及び図６は、上面板３の内面側に被係止板４と弾性付与板５とを折り畳んでいく手順を示す平面図である。ただし、図３乃至図６は、包装体Ｂの内面側となる面を上にして展開した状態の平面図である。
【００３６】
上記したように、ＰＴＰシート８０は、第２保持板１ｂの開口部１ｂ１に収容シート８１を下にして（すなわち、収容凹部８１ａを下にして）載置され、その状態で第１保持板１ａを第１保持板折り曲げ線１１から折り返してＰＴＰシート８０の被覆シート８２上に重ね合わせ、開口部１ａ１，１ｂ１の周囲を接着材によって接着することで、第１保持板１ａと第２保持板１ｂとの間にＰＴＰシート８０が挟み込んで保持されている。図３はこの保持状態を示している。
【００３７】
なお、第１保持板１ａと第２保持板１ｂの短辺側の一方の側縁部（例えば、図３において右側の側縁部）は、接着することなく開放しておくことで、この部分を通じてＰＴＰシート８０の出し入れが可能となる。従って、全ての内包物（錠剤）を飲み終わった後は、空のＰＴＰシート８０を開口部から取り出し、次のＰＴＰシート８０を差し込むことで、包装体Ｂを何度でも使用することが可能となる。
【００３８】
次に、この状態から、重ね合わせた第１保持板１ａ及び第２保持板１ｂを、第２保持板折り曲げ線１２を介して第３保持板１ｃ上に折り返し、第１保持板１ａと第３保持板１ｃとを接着材によって接着することで、ＰＴＰシート８０を保持板１によって一体に保持した状態の展開シートＡが作製される。図４はこの状態を示している。
【００３９】
次に、被係止板４を第６折り曲げ線２６から折り返して上面板３上に重ね合わせ、被差込み開口部４１及び係止解除開口部４２の周囲を接着材によって接着することで、上面板３と被係止板４とを接着固定する。図５はこの状態を示している。
【００４０】
次に、弾性付与板５を第９折り曲げ線２９から折り返して被係止板４上に重ね合わせ、弾性付与片５２の周囲を接着材によって接着することで、被係止板４と弾性付与板５とを接着固定する。さらに、補強板８を第１０折り曲げ線３０から折り返して下面板７上に重ね合わせ、全面を接着材によって接着固定することで下面板７を補強する。図６はこの状態を示している。そして、図６に示す状態が、製品としての包装体Ｂを展開したときの状態である。
【００４１】
＜展開状態の包装体Ｂを折り畳んで包装する手順の説明＞
次に、この展開状態の包装体Ｂを順次折り畳んでいくことで、内包物８３を包み込んで包装する手順について、図７乃至図１１を参照して説明する。図７は、包装体Ｂを途中まで折り畳んで包装した状態を斜め上方からの視点で示す斜視図、図８乃至図１０は、蓋板９を上面板３上に装着する操作手順を示す概略断面図、図１１は、完全に折り畳んだ状態の包装体を斜め上方からの視点で示す斜視図である。ただし、図８乃至図１０では、ＰＴＰシート８０の図示を省略している。
【００４２】
図６に示す展開状態から、保持板１を中心として、第１側面板２を第１折り曲げ線２１から上方に略９０度折り曲げて保持板１の一方の側部に配置し、次に、上面板３を第２折り曲げ線２２から横方向に略９０度折り曲げて保持板１の上部に対向配置し、次に、第２側面板６を第３折り曲げ線２３から下方に略９０度折り曲げて保持板１の他方の側部に配置し、次に、下面板７を第４折り曲げ線２４から横方向に略９０度折り曲げて保持板１の下部に対向配置し、次に、蓋板９を第５折り曲げ線２５から上方に略９０度折り曲げて第１側面板２に対向配置する。図７は、ここまで折り畳んだ包装体Ｂの状態を示している。
【００４３】
この後、係止片９ｂを差込み片９ａの外面側に折り返した後、図８に示すように、蓋板９を蓋板用折り曲げ線９１から横方向に折り曲げ、さらに差込み片９ａを第７折り曲げ線２７から上面板３側に折り曲げて、差込み片９ａの先端部（第８折り曲げ線２８の部分）を上面板３の被差込み部３１に対向配置する。次に、図９に示すように、折り返した係止片９ｂと共に差込み片９ａを上面板３の被差込み部３１に差し込んでいく。このとき、差込み片９ａによって弾性付与片５２も下方に押し下げられる。
【００４４】
そして、差込み片９ａを上面板３の内部まで完全に差し込むと、図１０及び図１１に示すように、係止片９ｂが係止解除開口部４２に嵌まり込み、係止片９ｂの先端が被係止部４３に当接して、差込み片９ａの引き抜き方向への移動を規制する。このとき、係止片９ｂは、折り返しの反発力によって差込み片９ａの外面から離れるように（すなわち、開くように）付勢されており、かつ、下方に押し下げられていた弾性付与片５２の反発力によって差込み片９ａが上方へ付勢されるので、係止片９ｂの先端が被係止部４３に確実に当接する。これにより、蓋板９は、差込み片９ａを差し込んで上面板３に添設させた状態で、ロック状態となる。因みに、係止片９ｂが折り返しの反発力によって差込み片９ａの外面から離れるように作用し、その付勢力等によって下面板７が下方に撓む可能性があるが、下面板７は補強板８が全面に貼着されていることでその強度が保たれている。従って、係止片９ｂの係脱操作によって下面板７及び補強板８が下方に撓むことはなく、係止片９ｂと被係止部４３との係止状態（すなわち、ロック状態）が保たれることになる。
【００４５】
このとき、上記したように、上面板３の連接方向の幅Ｗ１は下面板７の連接方向の幅Ｗ２より幅狭（Ｗ１＜Ｗ２）に形成され、第１側面板２の連接方向の幅Ｗ１１は、蓋板９の第５折り曲げ線２５と蓋板用折り曲げ線９１との間の幅Ｗ１２より幅広（Ｗ１１＞Ｗ１２）に形成されている。そのため、折り畳んだ状態の包装体Ｂは、第１側面板２が上面板３に対して傾斜して設けられることで、第１側面板２と蓋板９の蓋板用折り曲げ線９１との間に、断面三角形状の空間部Ｐが形成されている。この空間部Ｐが、蓋板９を開くときの可動空間となる。
【００４６】
＜折り畳んだ包装体Ｂを開くときの手順の説明＞
次に、図１０及び図１１に示す状態に折り畳まれて蓋板９がロックされた状態の包装体Ｂを開く場合について、図１２乃至図１４を参照して説明する。図１２乃至図１４は、ロックを解除して蓋板９を上面板３から開くときの操作手順を示す概略断面図である。ただし、図１２乃至図１４では、ＰＴＰシート８０の図示を省略している。
【００４７】
図１０に示す包装状態から、図１２に示すように、上面板３に設けられた係止解除部３２を押し込むと、係止片９ｂが下方に押し込まれて被係止部４３との係止が解除される。このとき、弾性付与片５２も下方へ押し下げられる。なお、係止解除部３２には、係止が解除されたことが明確となるようにダンパーエビデンス性を持たせておいてもよい。具体的には、係止解除部３２を上面板３とミシン目等で予め連接しておき、開封するときに係止解除部３２を押し込むことでミシン目部分を切断するようにしておけばよい。これにより、開封前か開封後かを識別できるので、安全に使用することができる。また、幼児などの子供が誤って開封して薬剤等を誤飲することも防止することができる。
【００４８】
次に、図１３に示すように、この状態から蓋板９の蓋板用折り曲げ線９１の部分を開く方向（図１３では右方向）に押し下げると、蓋板９は、空間部Ｐがあることにより第１側面板２に邪魔されることなく、この空間部Ｐを押し潰すようにしてスムーズに押し下げられる。このとき、例えば親指で蓋板９の蓋板用折り曲げ線９１の部分を押し下げて開く場合には、その下側である蓋板９の第５折り曲げ線２５を介して第１折り曲げ線２１の部分を他の指で支え、傾斜面である第１側面板２を若干撓ませることで、蓋板９を開封し易くアシストすることができる。
【００４９】
そして、この押し下げと同時に係止片９ｂ及び差込み片９ａが被差込み部３１から完全に引き抜かれて、図１４に示すように、ロック解除とともに蓋板９が上面板３から開放される。すなわち、ロック解除と蓋板９の開放とが連動し、かつ、一連の操作でスムーズに蓋板９が開放されることになる。その後は、折り畳む場合と逆の操作手順によって包装体Ｂを展開していくことで、図６に示すように、包装体Ｂを完全に開いた状態とし、この状態で内包物８３を取り出すことができる。
【００５０】
なお、開封時、蓋板９の蓋板用折り曲げ線９１の部分を開く方向に押し下げし易いように、蓋板用折り曲げ線９１と第７折り曲げ線２７との間の蓋板９の表面に、滑り止め用の例えばエンボス加工等を施してもよい。
【００５１】
上記実施形態では、内包物として医薬品等の錠剤を個別に包装したＰＴＰシートを例示しているが、医薬品等に限定されるものではなく、例えばタブレット状の菓子類を包装したＰＴＰシート等にも適用可能である。また、このようなＰＴＰシートに限定されるものではなく、例えばチューブ状の化粧品等を内包物として本発明の包装体を適用することも可能である。つまり、内包物については特に限定されるものではなく、折り畳んで包むことができるようなものであれば、どのような種類の内包物であってもよい。
【００５２】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【符号の説明】
【００５３】
Ａ  展開シート
Ｂ  包装体
１  保持板
１ａ  第１保持板
１ｂ  第２保持板
１ｃ  第３保持板
１ａ１，１ｂ１，１ｃ１  開口部
２  第１側面板（側面板）
３  上面板
４  被係止板
５  弾性付与板
６  第２側面板
７  下面板
８  補強板
９  蓋板
９ａ  差込み片
９ｂ  係止片
１１  第１保持板折り曲げ線
１２  第２保持板折り曲げ線
２１  第１折り曲げ線
２２  第２折り曲げ線
２３  第３折り曲げ線
２４  第４折り曲げ線
２５  第５折り曲げ線
２６  第６折り曲げ線
２７  第７折り曲げ線（差込み用折り曲げ線）
２８  第８折り曲げ線（係止用折り曲げ線）
２９  第９折り曲げ線
３０  第１０折り曲げ線
３１  被差込み部（切り込み線）
３２  係止解除部（切り込み線）
４１  被差込み開口部
４２  係止解除開口部
４３  被係止部
５２  弾性付与片
８０  ＰＴＰシート
８１  収容シート
８１ａ  収容凹部
８２  被覆シート
８３  錠剤（内包物）
８４  ＰＴＰ台紙
Ｐ  空間部
【図１】
0006678033.tif 000002
【図２】
0006678033.tif 000003
【図３】
0006678033.tif 000004
【図４】
0006678033.tif 000005
【図５】
0006678033.tif 000006
【図６】
0006678033.tif 000007
【図７】
0006678033.tif 000008
【図８】
0006678033.tif 000009
【図９】
0006678033.tif 000010
【図１０】
0006678033.tif 000011
【図１１】
0006678033.tif 000012
【図１２】
0006678033.tif 000013
【図１３】
0006678033.tif 000014
【図１４】
0006678033.tif 000015